(57)【特許請求の範囲】
【請求項１】
回路基板と、この回路基板上に搭載された光源と、前記回路基板の前方に位置し観察者に対面する前面板部と、この前面板部の所定部位に前方側開口部が回路基板に後方側開口部がそれぞれ臨むように連続形成される筒部とを有し、当該筒部に前記光源を収容するケースと、を備えたインジケータ装置において、前記前方側開口部を含んで前記前面板部を覆うように配置される前記ケースとは別体のスモーク調の外観を有する半透明な合成樹脂からなるパネル体をインサート成形により前記ケースに一体化し、前記筒部の全体形状の内少なくとも前記前方側開口部の形状を前記光源の点灯により発光表示すべき表示意匠の外形に対応させたことを特徴とするインジケータ装置。
【請求項２】
前記パネル体に前記前方側開口部の形状に対応した半透過層を有することを特徴とする請求項１記載のインジケータ装置。
【発明の詳細な説明】
【技術分野】
【０００１】
本発明は、例えば自動車やオートバイ、農機、建機等の車両用計器に組み込まれ、発光により各種情報を表示するインジケータ装置に関する。
【背景技術】
【０００２】
この種のインジケータ装置として例えば下記特許文献１に記載されたものが知られている。このインジケータ装置は、計器においてアナログメータからなる表示器の周囲を取り巻く見返し板と称されるパネル体に組み込まれており、回路基板と、この回路基板上に搭載された光源と、回路基板上に配置され光源を収容するライトボックスを有するケースと、ライトボックスの開口側に配置される表示板と、この表示板を含むケースの前方側を覆う半透光性材料からなるパネル体とを有している。表示板には燃料残量、ハイビーム、ターン方向を示すマークが印刷され、光源の点灯によりこれらマークが透過照明され、その光がパネル体を透過して視認される。
【先行技術文献】
【特許文献】
【０００３】
【特許文献１】特開２００６−２５０５９６号公報
【発明の開示】
【発明が解決しようとする課題】
【０００４】
しかしながら特許文献１記載のインジケータ装置は、光源からの光を受けて発光するマークを形成するための表示板が必要であり、その分、コストがかかっていた。
【０００５】
そこで、本発明は前述した問題点に着目し、コストダウンが可能なインジケータ装置を提供することを目的とする。
【課題を解決するための手段】
【０００６】
本発明は、回路基板と、この回路基板上に搭載された光源と、前記回路基板の前方に位置し観察者に対面する前面板部と、この前面板部の所定部位に前方側開口部が回路基板に後方側開口部がそれぞれ臨むように連続形成される筒部とを有し、当該筒部に前記光源を収容するケースと、を備えたインジケータ装置において、前記筒部の前方側開口部を含んで前記前面板部を覆うように配置される前記ケースとは別体のスモーク調の外観を有する半透明な合成樹脂からなるパネル体をインサート成形により前記ケースに一体化し、前記筒部の全体形状の内少なくとも前記前方側開口部の形状を前記光源の点灯により発光表示すべき表示意匠の形状に対応させたことを特徴とする。
このように構成することにより、筒部自体の構造が表示意匠の外形形状を形成するため、表示板を不要にでき、コストダウンを達成することができる。
また、インサート成形により前記パネル体と前記ケースとの密着性が向上するため、表示品質を向上させることができる。
【０００７】
また本発明は、前記パネル体に前記前方側開口部の形状に対応した半透過層を有することを特徴とする。
このように構成することにより、内部が透けて見えてしまうことを防止することができる。
【発明の効果】
【０００９】
本発明によれば、表示板を不要にでき、コストダウンを達成することができるインジケータ装置を提供することができる。
【図面の簡単な説明】
【００１０】
【図１】本発明の第１の実施形態によるインジケータ装置（光源点灯時）の正面図。
【図２】図１のＡ−Ａ断面図（ハッチング省略）。
【図３】パネル体を除去した際の正面図。
【図４】本発明の第２の実施形態によるインジケータ装置の断面図（ハッチング省略）。
【発明を実施するための形態】
【００１１】
（第１の実施形態）
本発明の第１の実施形態によるインジケータ装置は、図１〜図３に示すように、例えば車両用計器の一部に組み込まれるものであり、回路基板１と、光源２と、ケース３と、カバー４と、パネル体５とを有してなる。
【００１２】
回路基板１は、例えば硬質回路基板であり、その観察者側の板面に形成した図示しない回路パターン上に光源が実装されている。
【００１３】
光源２は、例えば発光ダイオードからなるもので、発光によりターンインジケータマークを表示するものである。
【００１４】
ケース３は、例えば黒色の遮光性合成樹脂からなり、前面板部３１と、筒部３２とを有している。
【００１５】
ケース３は、前面板部３１は回路基板１の前方に位置し観察者に対面する板状部分からなる。
【００１６】
筒部３２は、前面板部３１の所定部位に臨む前方側開口部３３と、回路基板１の臨む後方側開口部３４とを備えており、光源２を収容してなる。
【００１７】
筒部３２は、光源２の点灯により発光表示すべき表示意匠である矢印形状のターンインジケータマークＭの形状Ｓ２に対応させた矢印柱として形成されるため、前方側開口部３３の形状Ｓ１もターンインジケータマークＭの形状Ｓ２に対応しており、光源２が点灯すると、筒部３２（前方側開口部３３）がターンインジケータマークＭの形に発光する。なお筒部３２の全体形状をこのようにターンインジケータマークＭに対応させる必要はなく、少なくとも前方側開口部３３が対応していればよい。
【００１８】
カバー４は、例えば透明または適宜色を有する合成樹脂からなり、ケース３との間で回路基板１を収納する空間を形成する。
【００１９】
パネル体５は、例えばスモーク調の外観を有する半透明な合成樹脂からなり、筒部３２の前方側開口部３３を含んで前面板部３１を覆うようにケース３に対してインサート成形されている。
【００２０】
このパネル体５は、スモーク調であるため、光源２の消灯時は、パネル体５それ自体はスモーク調に見える。一方、光源２が点灯すると、ターンインジケータマークＭの形に発光する筒部３２が透過して見え、これによりターンインジケータマークＭが発光表示される。
【００２１】
以上のように、本実施形態では、回路基板１と、この回路基板１上に搭載された光源２と、回路基板１の前方に位置し観察者に対面する前面板部３１と、この前面板部３１の所定部位に前方側開口部３３が回路基板１に後方側開口部３４がそれぞれ臨むように連続形成される筒部３２とを有し、当該筒部３２に光源２を収容するケース３と、前方側開口部３３を含んで前面板部３１を覆うように配置される透光性材料からなるパネル体５とを有してなるインジケータ装置において、前方側開口部３３の形状Ｓ１を光源２の点灯により発光表示すべきターンインジケータマーク（表示意匠）Ｍの形状Ｓ２に対応させたことにより、筒部３２自体の構造が表示意匠の形状を形成するため、表示板を不要にでき、コストダウンを達成することができる。
【００２２】
また本実施形態では、パネル体５とケース３とをインサート成形により一体化したことにより、パネル体５とケース３との密着性を向上させ、特にパネル体５と前面板部３１との重なり部を前方から見たときの表示品質を向上させることができる。
【００２３】
（第２の実施形態）
本発明の第２の実施形態によるインジケータ装置は、図４に示すように、パネル体５に前方側開口部３３の形状に対応した半透過層５１を設けたものであり、このように構成することにより、内部（光源２、筒部３２、回路基板１）が透けて見えてしまうことを防止することができる。
【符号の説明】
【００２４】
１  回路基板
２  光源
３  ケース
４  カバー
５  パネル体
３１  前面板部
３２  筒部
３３  前方側開口部
３４  後方側開口部
５１  半透過層
Ｍ  ターンインジケータマーク
Ｓ１，Ｓ２  形状
【図１】
0005549217.tif 000002
【図２】
0005549217.tif 000003
【図３】
0005549217.tif 000004
【図４】
0005549217.tif 000005